(57)【要約】      （修正有）【課題】大型容器および小型容器の両方を安定して支持でき、かつ、小型容器を容易に取り出し得る容器ホルダを提供する。【解決手段】昇降式容器ホルダにおけるトレイ部３の昇降機構として、パンタグラフ機構を用い、付勢部９４によってパンタグラフ機構を上動させるとともに、ロック要素７によってトレイ部を最下位置にロックする。【選択図】図１
2015223979.tif 000002
【特許請求の範囲】
【請求項１】
上方に開口する収容空間を持つケース部と、
前記収容空間に配置されているトレイ部と、
前記トレイ部を上下方向に位置変化させるパンタグラフ型昇降要素と、を持ち、
前記パンタグラフ型昇降要素は、
前記トレイ部の下方で前記収容空間に配置され互いに交叉する一対の脚部を持ち、前記一対の脚部の交叉角が最小となる昇位置と、前記交叉角が最大となる降位置と、の間を状態変化するとともに、前記降位置において前記トレイ部を最下位置で支持し、前記昇位置において前記トレイ部を最上位置で支持する昇降部と、
前記昇降部を前記昇位置に付勢する付勢部と、
前記トレイ部および／または前記昇降部に脱着可能に係合することで、前記トレイ部を前記最下位置にロックするロック要素と、を備える、昇降式容器ホルダ。
【請求項２】
前記昇降部は、前記上下方向に対して交叉する方向にスライド可能なベース部を持ち、
一方の前記脚部である第１脚部は、前記トレイ部に対してスライド可能に軸支される第１上側軸部と、前記ケース部に対して軸支される第１下側軸部と、を持ち、
他方の前記脚部である第２脚部は、前記トレイ部に対して軸支される第２上側軸部と、前記ケース部に対してスライド可能に軸支される第２下側軸部と、を持ち、
前記ベース部は、前記第２下側軸部を軸支する第２下側軸受部を持つとともに前記付勢部に接続されている、請求項１に記載の昇降式容器ホルダ。
【請求項３】
前記ロック要素は、前記ケース部に対して位置変化可能に保持されている入力部と、前記入力部に接続され前記入力部の位置変化に追従して状態変化するロック可動部と、前記ロック可動部の一部であり前記ロック可動部の状態変化に追従して位置変化するロック部と、を持ち、
前記ベース部は、前記ロック部と脱着可能に係合するロック受け部を持つ、請求項２に記載の昇降式容器ホルダ。
【請求項４】
前記ロック部はロック面を持ち、
前記ロック受け部は、前記トレイ部が前記最下位置にあるときに前記ロック部の前記ロック面に係合する下ロック受け面と、前記トレイ部が前記最上位置にあるときに前記ロック部の前記ロック面に係合する上ロック受け面と、を持つ、請求項３に記載の昇降式容器ホルダ。
【請求項５】
前記ベース部は、前記下ロック受け面が前記ロック面に係合可能である下ロック受け位置と、前記上ロック受け面が前記ロック面に係合可能である上ロック受け位置と、の間をスライド可能であり、前記付勢部によって前記下ロック受け面が前記ロック面に係合する方向かつ前記上ロック受け面が前記ロック面に係合する方向に向けて付勢され、
前記ロック部は、前記ロック面が前記下ロック受け面または前記上ロック受け面に係合するロック位置と、前記ロック面と前記下ロック受け面との係合および前記ロック面と前記上ロック受け面との係合が解除されるロック解除位置と、の間を位置変化可能であり、
前記ロック要素は、前記ロック部を前記ロック位置に向けて付勢するロック付勢部を持ち、
係合状態にある前記ロック面および前記下ロック受け面は、前記下ロック受け位置から前記上ロック受け位置に向けた前記ベース部のスライドに干渉し、
係合状態にある前記ロック面および前記上ロック受け面は、前記上ロック受け位置から前記下ロック受け位置に向けた前記ベース部のスライドを許容する、請求項４に記載の昇降式容器ホルダ。
【請求項６】
前記ロック受け部は、前記上ロック受け面と前記下ロック受け面との間にガイド面を持ち、
前記ガイド面は、前記ロック部をガイドして前記ロック位置から前記ロック解除位置に向けて位置変化させる請求項５に記載の昇降式容器ホルダ。
【発明の詳細な説明】
【技術分野】
【０００１】
本発明は容器を保持するための容器ホルダに関する。
【背景技術】
【０００２】
飲料の容器には丈の高いものから丈の低いものまで種々の形状のものがある。例えば、丈の高い容器としてはペットボトル型の容器や大径の紙コップ等を挙げることができ、丈の低い容器としては缶型の容器や小型の紙コップを挙げることができる。以下、必要に応じて、丈の高い容器を大型容器と呼び、丈の低い容器を小型容器と呼ぶ。
【０００３】
一般的な容器ホルダは、収容空間を持つケース部を持つ。収容空間は、一般には、ケース部の側壁および底壁で区画され、容器を収容可能である。収容空間に収容された容器の底面は、ケース部の底壁によって支持できる。容器の側面は、ケース部の側壁によって支持できる。ところで、小型容器を収容するための浅型の収容空間に大型容器を収容する場合には、大型容器の下側部分だけが収容空間に収容され上側部分は容器ホルダの外部上方に大きく露出する。このため、この場合には大型容器を容器ホルダで安定して支持し難い問題があった。一方、大型容器を収容するための深型の収容空間に小型容器を収容する場合には、収容空間の下側部分（つまり奥側）に小型容器がはまり込み、容器を取出し難くなる問題があった。
【０００４】
このため近年では、容器ホルダにトレイを設け、当該トレイの収容空間への突出量を変化させることで、収容空間の実質的な深さを可変する技術が提案されている（例えば、特許文献１参照）。
【０００５】
この種の容器ホルダにおいては、図１５および図１６に示すように、深型の収容空間１１２を持つケース部１１１にトレイ部１０３を軸支する。そして、このトレイ１０３を図１５に示す展開位置と図１６に示す退避位置との間で回動させる。図１５に示す展開位置において、トレイ部１０３は、ケース部１１１の底壁１１４よりも上側の位置に突出する。したがって、このときの収容空間１１２の実質的な深さは、トレイ部１０３からケース部１１１の上端までの深さとなり、トレイ部１０３が突出していない場合（つまり図１６に示す退避位置にある場合）に比べて浅くなる。したがって、展開位置においてはトレイ部１０３が小型容器１９８の底面を支持する。換言すると、このとき小型容器１９８は収容空間１１２の上側部分において支持される。このため、深型の収容空間１１２に小型容器１９８を収容しても、容器１９８を容易に取り出し得る。
【０００６】
また、図１６に示す退避位置においては、トレイ部１０３はケース部１１１の側壁１１３に沿うように立ち上がり、ケース部１１１の底壁１１４は収容空間１１２に大きく露出する。したがって、このときの収容空間１１２の実質的な深さは、ケース部１１１の底壁１１４からケース部１１１の上端までの深さとなり、図１５に示す展開位置に比べて深くなる。したがって、退避位置においてはケース部１１１の底壁１１４が大型容器１９９の底面を支持する。換言すると、このとき大型容器１９９の底部は収容空間１１２の下側部分にまで入り込む。このため、大型容器１９９を容器ホルダに安定して支持できる。
【０００７】
ところでこの種の容器ホルダにおいても、トレイ部１０３が図１６に示す退避位置にあるときに収容空間１１２に小型容器１９８を収容すると、図１６中２点鎖線で示すように、依然として、小型容器１９８が収容空間１１２の下側部分にはまり込み、取出し難くなる問題があった。そしてこのときトレイ部１０３を回動させようとしても、トレイ部１０３と小型容器１９８とが干渉し、トレイ部１０３も小型容器１９８も動かせなくなる場合があった。
【先行技術文献】
【特許文献】
【０００８】
【特許文献１】特開２００６−５６４６６号公報
【発明の概要】
【発明が解決しようとする課題】
【０００９】
本発明は上記事情に鑑みてなされたものであり、大型容器および小型容器の両方を安定して支持でき、かつ、小型容器を容易に取り出し得る容器ホルダを提供することを目的とする。
【課題を解決するための手段】
【００１０】
上記課題を解決する本発明の昇降式容器ホルダは、
上方に開口する収容空間を持つケース部と、
前記収容空間に配置されているトレイ部と、
前記トレイ部を上下方向に位置変化させるパンタグラフ型昇降要素と、を持ち、
前記パンタグラフ型昇降要素は、
前記トレイ部の下方で前記収容空間に配置され互いに交叉する一対の脚部を持ち、前記一対の脚部の交叉角が最小となる昇位置と、前記交叉角が最大となる降位置と、の間を状態変化するとともに、前記降位置において前記トレイ部を最下位置で支持し、前記昇位置において前記トレイ部を最上位置で支持する昇降部と、
前記昇降部を前記昇位置に付勢する付勢部と、
前記トレイ部および／または前記昇降部に脱着可能に係合することで、前記トレイ部を前記最下位置にロックするロック要素と、を備えるものである。
【発明の効果】
【００１１】
本発明の昇降式容器ホルダは、パンタグラフ型昇降要素により上下動するトレイ部を持ち、トレイ部は最上位置に付勢され、かつ、最下位置にロックされるため、大型容器および小型容器の両方を安定して支持でき、かつ、小型容器を容易に取り出し得る。
【図面の簡単な説明】
【００１２】
【図１】実施例１の昇降式容器ホルダを模式的に表す分解斜視図である。
【図２】実施例１の昇降式容器ホルダにおけるパンタグラフ型昇降要素およびロック要素を模式的に表す要部拡大斜視図である。
【図３】実施例１の昇降式容器ホルダの動作を説明する説明図である。
【図４】実施例１の昇降式容器ホルダの動作を説明する説明図である。
【図５】実施例１の昇降式容器ホルダの動作を説明する説明図である。
【図６】実施例１の昇降式容器ホルダにおけるロック要素の動作を説明する説明図である。
【図７】実施例１の昇降式容器ホルダにおけるロック要素の動作を説明する説明図である。
【図８】実施例２の昇降式容器ホルダの動作を説明する説明図である。
【図９】実施例２の昇降式容器ホルダの動作を説明する説明図である。
【図１０】実施例３の昇降式容器ホルダの動作を説明する説明図である。
【図１１】実施例３の昇降式容器ホルダの動作を説明する説明図である。
【図１２】実施例４の昇降式容器ホルダの動作を説明する説明図である。
【図１３】実施例４の昇降式容器ホルダの動作を説明する説明図である。
【図１４】実施例４の昇降式容器ホルダの動作を説明する説明図である。
【図１５】従来の容器ホルダの動作を説明する説明図である。
【図１６】従来の容器ホルダの動作を説明する説明図である。
【発明を実施するための形態】
【００１３】
以下、具体例を挙げて本発明の昇降式容器ホルダを説明する。以下、必要に応じて、後述する脚部が昇位置にあるときの昇降式容器ホルダを「昇状態」と呼び、脚部が降位置にあるときの昇降式容器ホルダを「降状態」と呼ぶ。また、実施例１において上、下、左、右、前、後とは、図１に示す上、下、左、右、前、後を指す。
【００１４】
（実施例１）
実施例１の昇降式容器ホルダは、車両のコンソールボックスに配設されるドリンクホルダである。実施例１の昇降式容器ホルダを模式的に表す分解斜視図を図１に示す。実施例１の昇降式容器ホルダにおけるパンタグラフ型昇降要素およびロック要素を模式的に表す要部拡大斜視図を図２に示す。実施例１の昇降式容器ホルダの動作を説明する説明図を図３〜図５に示す。なお、図３において昇降式容器ホルダは昇状態にあり、図５において昇降式容器ホルダは降状態にあり、図４において昇降式容器ホルダは昇状態と降状態との間の状態にある。
【００１５】
図１に示すように、実施例１の昇降式容器ホルダは、ケース部複合体１、トレイ部３およびパンタグラフ型昇降要素５を持つ。
【００１６】
ケース部複合体１は前後二分割された二つの分体１０が組み合わされてなる。２つの分体１０を組み合わせてなるケース部複合体１は、有底の略円筒状をなすケース部１１と、有底の略筒状をなしケース部１１よりも浅型の副ケース部１８と、が左右方向に２つ配列してなる。ケース部１１および副ケース部１８は各々上方に開口する。ケース部１１は内部に収容空間１２を持ち、副ケース部１８もまた内部に収容空間１９を持つ。ケース部１１は、上下に延びる略円筒状をなす側壁１３と側壁１３の下端を覆う略平板状の底壁１４と、を持つ。
【００１７】
図１および図２に示すように、ケース部１１の底壁１４の上面（つまり、収容空間１２側の面）には、第１下側副軸受部２１および第２下側副軸受部２３が設けられている。また、図３、図４に示すように底壁１４の上面にはさらに第１下側軸受部２０が設けられている。第１下側軸受部２０および第１下側副軸受部２１は、略同形状であり、前後方向に開口する孔状をなす。第１下側軸受部２０および第１下側副軸受部２１は前後方向に配列し、第１下側軸受部２０および第１下側副軸受部２１の左右方向の位置は略同位置である。なお、第１下側軸受部２０は第１下側副軸受部２１の後側に位置する。
【００１８】
第２下側副軸受部２３は左右方向に延びる長孔状をなす。さらに、ケース部１１の底壁１４の上面には、後述するダンパ部９０を保持するダンパ保持部２５、および、後述するベース部５５を案内するベースガイド２６が設けられている。
【００１９】
トレイ部３およびパンタグラフ型昇降要素５は、ケース部１１の収容空間１２に配置されている。
【００２０】
トレイ部３は浅型の略筒状をなす。トレイ部３の外径はケース部１１の内径よりも小さい。トレイ部３の内部には、滑り止めシート３０が載置されている。
【００２１】
トレイ部３は、第１上側軸受部３１、図略の第１上側副軸受部、第２上側軸受部３２および図略の第２上側副軸受部を持つ。第１上側軸受部３１、第１上側副軸受部、第２上側軸受部３２および第２上側副軸受部は、トレイ部３における底壁３５の下面に設けられている。第１上側軸受部３１および図略の第１上側副軸受部は、略同形状であり、前後方向に開口し左右方向に延びる長孔状をなす。第１上側軸受部３１および図略の第１上側副軸受部は前後方向に配列し、第１上側軸受部３１および第１上側副軸受部の左右方向の位置は略同位置である。第１上側軸受部３１は、第１上側副軸受部の後側に位置する。第２上側軸受部３２および図略の第２上側副軸受部は、略同形状であり、前後方向に開口する孔状をなす。第２上側軸受部３２および第２上側副軸受部は前後方向に配列し、第２上側軸受部３２および第２上側副軸受部の左右方向の位置は略同位置である。第２上側軸受部３２は第２上側副軸受部の後側に位置する。
【００２２】
パンタグラフ型昇降要素５は、昇降部５０と、付勢部９４と、ロック要素７と、ダンパ部９０と、で構成されている。
【００２３】
昇降部５０は、一対の脚部（第１脚部５１、第２脚部５２）およびベース部５５を持つ。第１脚部５１および第２脚部５２は、長手方向の略中央部で互いに軸支され、パンタグラフ機構５３を構成している。第１脚部５１には略同形状の第１副脚部５８が一体化されている。第１脚部５１および第１副脚部５８は前後方向に配列し、第１脚部５１は第１副脚部５８の後側に位置する。第２脚部５２には略同形状の第２副脚部５９が一体化されている。第２脚部５２および第２副脚部５９もまた前後方向に配列し、第２脚部５２は第２副脚部５９の後側に位置する。第１副脚部５８および第２副脚部５９もまた長手方向の略中央部で互いに軸支されている。第１副脚部５８は第１脚部５１に追従して動作し、第２副脚部５９は第２脚部５２に追従して動作する。
【００２４】
第１脚部５１は第１上側軸部６０および第１下側軸部６１を持つ。第１上側軸部６０は第１脚部５１における長手方向の一端部に設けられ、第１下側軸部６１は第１脚部５１における長手方向の他端部に設けられている。第１副脚部５８は第１上側副軸部６４および第１下側副軸部６５を持つ。第１上側副軸部６４は第１副脚部５８における長手方向の一端部に設けられ、第１下側副軸部６５は第１副脚部５８における長手方向の他端部に設けられている。
【００２５】
第２脚部５２は第２上側軸部６２および第２下側軸部６３を持つ。第２上側軸部６２は第２脚部５２における長手方向の一端部に設けられ、第２下側軸部６３は第２脚部５２における長手方向の他端部に設けられている。第２副脚部５９は第２上側副軸部６６および第２下側副軸部６７を持つ。第２上側副軸部６６は第２副脚部５９における長手方向の一端部に設けられ、第２下側副軸部６７は第２副脚部５９における長手方向の他端部に設けられている。
【００２６】
ベース部５５は長尺の略板状をなし、長手方向を左右に向けてケース部１１の底壁１４の上面に載置されている。ベース部５５の右端はベースガイド２６に収容保持されている。ベースガイド２６により、ベース部５５のスライド方向は左右方向に規制されている。ベース部５５の左端後側には第２下側軸受部２２が設けられている。第２下側軸受部２２は前後方向に開口する孔状をなす。ベース部５５の右端側にはロック受け部４１が設けられている。
【００２７】
ロック受け部４１は、各々立面状をなし左右に配列する上ロック受け面４０および下ロック受け面４５と、上ロック受け面４０と下ロック受け面４５との間に設けられているガイド面４２とを持つ。図３に示すように、上ロック受け面４０および下ロック受け面４５は上下に延びる。また、上ロック受け面４０の上端部および下ロック受け面４５の上端部の上下方向の位置は略一致し、上ロック受け面４０の下端部および下ロック受け面４５の下端部の上下方向の位置もまた略一致している。ガイド面４２は上ロック受け面４０の右方に連続する。具体的には、ガイド面４２は上ロック受け面４０の下端部に連続し、左下側から右上側に向けて傾斜する傾斜面状をなす。ガイド面４２の上端部、上ロック受け面４０の上端部および下ロック受け面４５の上端部の上下方向の位置は略一致している。ガイド面４２の上端部と下ロック受け面４５の上端部とは平坦面で連絡されている。さらに、下ロック受け面４５の右方には傾斜面が連続している。より具体的には、下ロック受け面４５の下端部は、左下側から右上側に向けて傾斜する傾斜面に連続している。
【００２８】
図１および図２に示すように、ベース部５５の左端前側にはラック４９が形成されている。ラック４９はダンパ部９０のピニオン９１に噛合する。このためベース部５５の左右方向のスライド速度は、ダンパ部９０によって減速される。つまり、ダンパ部９０の緩衝作用によって、ベース部５５の急激なスライドが抑制される。
【００２９】
付勢部９４はコイルバネ状をなし、付勢部９４の一端はベース部５５に固定され、他端はケース部１１の底壁１４に固定されている。付勢部９４はベース部５５を右方に付勢する。
【００３０】
ロック要素７は、入力部７０およびロック可動部７ａで構成されている。ロック可動部７ａは、ロック棹部７２、入力座部７５、第１ロック付勢部９２、第２ロック付勢部９３、およびピン７９で構成されている。
【００３１】
入力部７０は接続脚部７１を持つ釦状をなす。接続脚部７１は前後方向に延びる角筒状をなす。入力座部７５は略枠状をなし、ケース部複合体１の座部取り付け孔１５に取り付けられている。入力座部７５には前後方向に延びる角筒状をなす接続受け部７６が設けられている。接続受け部７６には接続脚部７１が収容される。入力部７０は、接続脚部７１を図１中前側に向けつつ入力座部７５に保持されている。接続脚部７１は接続受け部７６に対してスライド可能である。接続受け部７６と接続脚部７１との間には、コイルバネ状の第１ロック付勢部９２が介在している。第１ロック付勢部９２は、接続脚部７１を図中後側に向けて付勢する。接続受け部７６には、左右方向に開口し上下方向に延びる長孔状をなす固定側ピンガイド８０が設けられている。固定側ピンガイド８０にはピン７９が挿通されている。接続脚部７１には、左右方向に開口し前下方から後上方に向けて傾斜して延びる長孔状の可動側ピンガイド８１が設けられている。可動側ピンガイド８１にもまた、ピン７９が挿通されている。
【００３２】
ロック棹部７２は長手方向を上下に向けた棹状をなす。ロック棹部７２の下端部であるロック部７３は、左端にロック面７４ａを持ち先端にガイド受け面７４ｂを持つ凸状をなす。より具体的には、ロック面７４ａは上下方向に延びる立面状をなす。ガイド受け面７４ｂはロック面７４ａの下端部に連続して左下側から右上側に向けて傾斜する傾斜面状をなす。したがって、ロック部７３の突出長さは左側から右側に向けて小さくなる。後述するように、ロック面７４ａと上ロック受け面４０とが係合状態にあるときに、ガイド受け面７４ｂはガイド面４２に対面する。なお、実施例１の昇降式容器ホルダにおいて、ガイド受け面７４ｂの傾斜角度とガイド面４２の傾斜角度とは略一致している。
【００３３】
ロック棹部７２の下側部分は、ベースガイド２６の上面に開口するロック出入口２７に挿入され、ベースガイド２６の内部においてベース部５５に対面している。ロック棹部７２の下側部分には、長孔状をなすガイド凹部８８が設けられている。ガイド凹部８８には、ケース部１１の外面に設けられているガイド凸部８９が挿入される。ガイド凹部８８およびガイド凸部８９によって、ロック棹部７２の可動方向が上下方向に規制されている。
【００３４】
ロック棹部７２におけるロック部７３と逆側の端部には入力側可動端部７７が設けられている。入力側可動端部７７には、左右方向に貫通するピン接続部８２が設けられている。接続脚部７１には上下方向に開口する第１ガイド孔８３が設けられ、入力座部７５の接続受け部７６にもまた上下方向に開口する第２ガイド孔８４が設けられている。そして、入力側可動端部７７は第１ガイド孔８３および第２ガイド孔８４に挿通されている。入力側可動端部７７と入力座部７５との間にはコイルバネ状の第２ロック付勢部９３が介在している。第２ロック付勢部９３は、ロック棹部７２を下方に付勢する。第２ロック付勢部９３は、本発明の昇降式容器ホルダにおけるロック付勢部を構成する。
【００３５】
なお、第１ガイド孔８３の前後方向の長さは第２ガイド孔８４の前後方向の長さよりも長い。したがって、後述するように、入力側可動端部７７が接続脚部７１の第１ガイド孔８３および接続受け部７６の第２ガイド孔８４に挿通された状態で、入力部７０は前後方向にスライド可能である。ピン接続部８２にもまたピン７９が挿通されている。したがって、ピン７９は固定側ピンガイド８０、可動側ピンガイド８１およびピン接続部８２に挿通されている。なお、ピン７９は固定側ピンガイド８０および可動側ピンガイド８１に対してスライド可能であるが、ピン接続部８２に対してはスライドしない。
【００３６】
図２に示すように、トレイ部３の第１上側軸受部３１は、第１脚部５１の第１上側軸部６０をスライド可能に軸支している。また、トレイ部３の第１上側副軸受部（図略）は、図１に示す第１副脚部５８の第１上側副軸部６４をスライド可能に軸支している。図１に示すトレイ部３の第２上側軸受部３２は、第２脚部５２の第２上側軸部６２を軸支している。また、トレイ部３の第２上側副軸受部（図略）は、第２副脚部５９の第２上側副軸部６６を軸支している。
【００３７】
図３に示すように、ケース部１１の第１下側軸受部２０は、第１脚部５１の第１下側軸部６１を軸支している。図１に示すケース部１１の第１下側副軸受部２１は、第１副脚部５８の第１下側副軸部６５を軸支している。図１に示すケース部１１の第２下側副軸受部２３は第２副脚部５９の第２下側副軸部６７をスライド可能に軸支している。ベース部５５の第２下側軸受部２２は、第２脚部５２の第２下側軸部６３を軸支している。ベース部５５は左右方向にスライド可能であるため、第２下側軸部６３はベース部５５とともに左右方向に位置変化可能である。
【００３８】
図２に示すように、ケース部１１および副ケース部１８には、それぞれ、略矩形の開口９５が設けられている。各開口９５には、サポート部材９６が取り付けられている。また、各開口９５は略箱状をなす蓋部９７で覆われている。サポート部材９６は蓋部９７に軸支され、図３中実線で示す展開位置と図３中２点鎖線で示す退避位置と、の間を回動可能である。また、サポート部材９６は図略のサポート付勢部によって展開位置に向けて付勢されている。サポート付勢部はトーションバネからなり、一端がサポート部材９６に固定されるとともに他端が蓋部９７に固定されている。サポート部材９６は、昇降式容器ホルダに保持された容器９８、９９の側面を支持する。
【００３９】
以下、実施例１の昇降式容器ホルダの動作を説明する。
【００４０】
実施例１の昇降式容器ホルダは、図３に示す昇状態と、図５に示す降状態と、の間を状態変化する。第１脚部５１および第２脚部５２は、互いに同期して立ち上がり、かつ互いに同期して倒れるパンタグラフ機構５３を構成する。第１脚部５１および第２脚部５２で構成されるパンタグラフ機構５３は、第１下側軸部６１によってケース部１１に固定され、第１下側軸部６１を始点として、第１下側軸部６１よりも上側で上下方向に伸縮し、かつ、第１下側軸部６１よりも左側で左右方向に伸縮する。第１脚部５１および第２脚部５２が立ち上がり、第１脚部５１と第２脚部５２との交叉角θが小さくなると、パンタグラフ機構５３は右方に向けて収縮する。そして、パンタグラフ機構５３の高さは高くなる。また、第１脚部５１および第２脚部５２が倒れ、交叉角θが大きくなると、パンタグラフ機構５３は左方に向けて拡大する。そして、パンタグラフ機構５３の高さは低くなる。パンタグラフ機構５３の上部に支持されているトレイ部３は、パンタグラフ機構５３の状態変化に伴って上下に位置変化する。なお、第１脚部５１と第２脚部５２との交叉角とは、２つの上側軸部（第１上側軸部６０および第２上側軸部６２）の間に形成される交叉角θ、または、２つの下側軸部（第１下側軸部６１および第２下側軸部６３）の間に形成される交叉角θを指す。
【００４１】
図３に示す昇状態において、昇降部５０は昇位置にある。このとき第１脚部５１および第２脚部５２は立ち上がり、第１脚部５１と第２脚部５２との交叉角θは最小となり、パンタグラフ機構５３の高さは最大となる。このとき、第１上側軸部６０は第１上側軸受部３１の右端に位置する。ベース部５５は右側にスライドし、第２下側軸部６３は第２下側軸受部２２に伴って右側に位置変化している。ロック部７３のロック面７４ａは、ベース部５５の上ロック受け面４０に係合している。なお、このときロック部７３（より具体的にはロック棹部７２）は、第２ロック付勢部９３によって下方に向けて付勢されている。また、ベース部５５は、付勢部９４によって、右方に向けて付勢されている。つまりこのとき、ロック部７３はロック面７４ａと上ロック受け面４０とが対面する方向に（つまり、ロック位置に向けて）付勢され、かつ、ベース部５５は上ロック受け面４０とロック面７４ａとが係合する方向に付勢されている。したがって、このときロック面７４ａと上ロック受け面４０とは安定して係合する。このため、昇降部５０は昇位置に安定してロックされる。
【００４２】
またこのとき、昇降部５０に支持されるトレイ部３もまた、最大に高い位置（最上位置）にロックされる。したがって、このときトレイ部３によって小型容器９８を収容空間１２における高い位置で支持できる。つまり、昇状態においては、小型容器９８の上側部分が収容空間１２の上方に露出するため、小型容器９８を昇降式容器ホルダから容易に取り出すことができる。
【００４３】
さらにこのとき、第１上側軸部６０および第２上側軸部６２は、トレイ部３の中心線Ｌ１を挟んで左右に配置されている。このためトレイ部３はパンタグラフ機構５３によって安定して支持される。つまり、第１上側軸部６０および第２上側軸部６２が、トレイ部３の左側のみまたは右側のみに偏って配置される場合には、トレイ部３をパンタグラフ機構５３によって安定して支持し難い場合がある。しかし、第１上側軸部６０および第２上側軸部６２が、トレイ部３の中心線Ｌ１を挟んで左右に配置されていれば、例え荷重がトレイ部３の一部に偏って作用した場合にも、パンタグラフ機構５３が安定して動作する。
【００４４】
昇降式容器ホルダが図３に示す昇状態にあるときに、トレイ部３に大型容器９９を載置する等して、トレイ部３に下方向の荷重を加えると、トレイ部３は下方に位置変化する。
【００４５】
図３に示すように、ロック部７３は第２ロック付勢部９３によって下方つまりロック位置に向けて付勢され、かつ、ベース部５５は付勢部９４によって右方つまり上ロック受け面４０がロック面７４ａに係合する方向に付勢されている。換言すると、このとき上ロック受け面４０とロック受け面７４ａとは互いに近接する方向に付勢されている。したがって、第２ロック付勢部９３および付勢部９４の付勢力に抗して、ベース部５５に左方向の力を作用させると、ロック面７４ａと上ロック受け面４０とが互いに離れ、ロック面７４ａと上ロック受け面４０との係合が解除される。
【００４６】
ところで、上述したように、上ロック受け面４０には左下側から右上側に向けて傾斜するガイド面７２が連続している。また、ロック要素７のロック部７３は先端にガイド受け面７４ｂを持つ凸状をなし、ガイド受け面７４ｂの傾斜角およびガイド面７２の傾斜角は略一致している。このため、ベース部５５に左方向の力が作用すると、ロック面７４ａと上ロック受け面４０との係合が解除され、かつ、ロック部７３のガイド受け面７４ｂとロック受け部４１のガイド面４２とが相対的に摺動する。そしてロック部７３は、ガイド面４２の傾斜方向つまり上方に向けてガイドされ、図３に示すロック位置から図４に示すロック解除位置に位置変化する。このように、係合状態にあるロック要素７およびロック受け部４１は、ベース部５５の左方への位置変化を許容し、右方への位置変化を妨げるラチェット機構を構成する。
【００４７】
このように、ロック要素７およびロック受け部４１がベース部の左方への位置変化を許容するため、昇降式容器ホルダは昇位状態から降状態に状態変化する。つまり、昇降式容器ホルダが図３に示す昇状態にあるときに、トレイ部３に下方向の荷重を加えると、第１脚部５１および第２脚部５２に対して倒れる方向の荷重が作用する。そして第１脚部５１および第２脚部５２が倒れると、第１脚部５１と第２脚部５２との交叉角θが大きくなり、パンタグラフ機構５３の高さは低くなる。そしてこのとき、第２脚部５２の第２下側軸部６３が左方に位置変化し、第２下側軸部６３を軸支するベース部５５には左方向への荷重が作用する。つまり、このとき同時にベース部５５が左方に位置変化し、ロック面７４ａと上ロック受け面４０との係合は解除される。したがって、トレイ部３が下降し、昇降部５０が降位置に配置され、昇降式容器ホルダは図５に示す降状態になる。
【００４８】
図５に示すように、昇降部５０が降位置に配置されると、ベース部５５の下ロック受け面４５がロック面７４ａに対面する位置、つまり、下ロック受け位置にまでスライドする。ロック部７３は第２ロック付勢部９３によって下方向に付勢され、ベース部５５は付勢部９４によって図中右方向に付勢されているため、このとき下ロック受け面４５とロック面７４ａとは互いに近づき、係合する。したがって、昇降部５０は図５に示す降状態にロックされ、昇降部５０に支持されるトレイ部３もまた最下位置にロックされる。なお、図５に示すように、このときロック面７４ａと下ロック受け面４５とが係合することで、ベース部５５は右方向へスライドできない。換言すると、このときロック面７４ａと下ロック受け面４５は下ロック受け位置から上ロック受け位置に向けたベース部５５のスライドに干渉する。
【００４９】
またこのとき、第１脚部５１および第２脚部５２は略水平になるまで倒れ、第１脚部５１と第２脚部５２との交叉角θは最大となる。つまり、第１上側軸部６０および第２上側軸部６２は、上下方向において、第１下側軸部６１および第２下側軸部６３と略同位置に配置される。このため、パンタグラフ機構５３の第１上側軸部６０および第２上側軸部６２に支持されているトレイ部３は最大に下降し、最下位置に配置される。したがって、このときトレイ部３よりも上側には充分に深い収容空間１２が形成され、トレイ部３に載置した大型容器９９を昇降式容器ホルダによって安定して支持できる。
【００５０】
また、トレイ部３が最下位置にロックされるため、例えば容器９８、９９に入っている飲料の量が減り、トレイ部３に作用する荷重が小さくなったときにも、トレイ部３が勝手に上昇することはない。このため、容器９８、９９が急に飛び出す等の不具合も生じ得ない。
【００５１】
昇降式容器ホルダを図５に示す降状態から図３に示す昇状態に状態変化させる際には、ロック要素７の入力部７０を押圧操作する。図６および図７に示すように、入力部７０を後方から前方に押圧操作すると、入力部７０に設けられている可動側ピンガイド８１もまた後方から前方に位置変化する。このとき可動側ピンガイド８１は、入力座部７５に設けられている固定側ピンガイド８０およびピン７９に対しても位置変化する。
【００５２】
ピン７９は、下前方から上後方に向けて延びる可動側ピンガイド８１と、上下方向に延びる固定側ピンガイド８０と、によって位置規制されている。したがって可動側ピンガイド８１が前方に向けて位置変化すると、ピン７９は、可動側ピンガイド８１の壁面によって前上方に押されるものの、固定側ピンガイド８０に規制されて前後方向には位置変化しない。したがって、このときピン７９は下方から上方に向けて位置変化する。そして、ピン７９の位置変化に伴って、ピン７９に取り付けられているロック棹部７２もまた下方から上方に位置変化し、ロック棹部７２の端部であるロック部７３もまた上方つまりロック解除位置に位置変化し、ロック面７４ａと下ロック受け面４５との係合が解除される。よって、ベース部５５は付勢部９４の付勢力によって右方にスライドし、それに付随して第１脚部５１および第２脚部５２が立ち上がり、第１脚部５１と第２脚部５２との交叉角θは小さくなり、パンタグラフ機構５３の高さが高くなる。そして、パンタグラフ機構５３に支持されているトレイ部３が上昇し、昇降式容器ホルダは、図３に示す昇状態に状態変化する。
【００５３】
実施例１の昇降式容器ホルダによると、図３に示す昇状態において小型容器９８を収容空間１２の上側で支持でき、図５に示す降状態において大型容器９９を収容空間１２の下側で支持できる。このため、実施例１の昇降式容器ホルダは種々の容器を安定して支持でき、かつ、収容した容器を取り出し易い。
【００５４】
また、実施例１の昇降式容器ホルダによると、昇降部５０によってトレイ部３が略垂直に上下動する。このためトレイ部３は常に収容空間１２に露出し、トレイ部３が最上位置にあるときにも、最下位置にあるときにも、容器の底部はトレイ部３によって支持される。このため、昇降式容器ホルダが降状態にあるときにトレイ部３に小型容器９８を載置し、小型容器９８が収容空間１２の下側にはまり込んだ場合にも、トレイ部３を上昇させれば容器を容易に取り出すことができる。さらに、トレイ部３は付勢部９４により最上位置に付勢され、ロック要素７によって最下位置にロックされるため、ロック要素７によるロックを解除すれば、トレイ部３は自動的に上昇する。
【００５５】
また、トレイ部３が回動する従来の昇降式容器ホルダ（図１０および図１１に示す）とは異なり、実施例１の昇降式容器ホルダにおいては、トレイ部３とともに容器が位置変化する。このため、容器がトレイ部３の動作に干渉することはない。
【００５６】
また、トレイ部３を上下動させる昇降部５０は、パンタグラフ機構５３を構成し、非常に省スペースである。このような昇降部５０を収容空間１２におけるトレイ部３の下方に配置したことで、昇降式容器ホルダを小型化できる。
【００５７】
また、トレイ部３を上下動させる昇降部５０は、ロック要素７によって降位置にロック可能であり、トレイ部３もまた最下位置にロック可能である。このためトレイ部３は、小型容器９８や軽い容器を最下位置で支持する際にも、勝手に上昇しない。
【００５８】
また、第１脚部５１および第２脚部５２からなるパンタグラフ機構５３において、第１脚部５１の第１下側軸部６１および第２脚部５２の第２上側軸部６２は左右方向つまりスライド方向に位置変化せず、第１脚部５１の第１上側軸部６０および第２脚部５２の第２下側軸部６３のみが左右方向に位置変化する。このため、実施例１の昇降式容器ホルダにおけるパンタグラフ機構５３は、左右方向にガタつき難く、安定して動作する。
【００５９】
実施例１の昇降式容器ホルダは、第１脚部５１に一体化された第１副脚部５８と、第２脚部５２に一体化された第２副脚部５９と、を持つ。このため、第１脚部５１と第２脚部５２とで構成されるパンタグラフ機構５３は安定して動作する。つまり、副脚部５８、５９は、パンタグラフ機構５３のスライド方向（つまり左右方向）に対して交叉する方向（つまり前後方向）において、脚部５１、５２（つまりパンタグラフ機構５３）と離間している。このような副脚部５８、５９を直接的または間接的にパンタグラフ機構５３に一体化することで、パンタグラフ機構５３に加わる荷重が副脚部５８、５９にも分散されてパンタグラフ機構５３が安定して動作する。また、パンタグラフ機構５３および副脚部５８、５９によってトレイ部３を広い範囲で安定に支持でき、トレイ部３に載置された容器９８、９９もまた、昇降式容器ホルダに安定して支持される。しかし、本発明の昇降式容器ホルダにおいて第１副脚部５８および第２副脚部５９は必須ではない。また、パンタグラフ機構５３の更なる動作安定化のために、更に多くの副脚部を設けても良いし、その他の補助構造を設けても良い。
【００６０】
実施例１の昇降式容器ホルダにおけるロック要素７およびロック受け部４１は、トレイ部３の最下位置への位置変化を許容しかつトレイ部３の最上位置への位置変化を妨げるラチェット機構を構成するものであるが、ロック要素７およびロック受け部４１はこれに限定されない。例えば、ロック要素７はトレイ部３を最下位置にロックするだけでも良い。この場合には、例えば、付勢力の大きな付勢部９４を用い、トレイ部３が小型容器９８を支持する際に、付勢部９４の付勢力だけでトレイ部３および小型容器９８を最上位置に保持すれば良い。また、ロック受け部４１を昇降部５０に設けずトレイ部３に設けても良い。
【００６１】
（実施例２）
実施例２の昇降式容器ホルダは、第１脚部５１の第１下側軸部６１および第２脚部５２の第２上側軸部６２が左右方向に位置変化すること以外は、実施例１の昇降式容器ホルダと概略同じものである。実施例２の昇降式容器ホルダの動作を説明する説明図を図８および図９に示す。なお、図８において昇降式容器ホルダは昇状態にあり、図９において昇降式容器ホルダは昇状態と降状態との間の状態にある。
【００６２】
図８および図９に示すように、第１下側軸部６１を軸支する第１下側軸受部２０は前後方向に開口し左右方向に延びる長孔状をなす。第２上側軸部６２を軸支する第２上側軸受部３２もまた、前後方向に開口し左右方向に延びる長孔状をなす。実施例１と同様に、第１上側軸受部３１もまた前後方向に開口し左右方向に延びる長孔状をなす。さらに、第２下側軸受部２２はベース部５５に従動して左右方向に位置変化する。したがって、実施例２の昇降式容器ホルダにおいては、第１上側軸部６０、第１下側軸部６１、第２上側軸部６２および第２下側軸部６３の全てが左右方向に位置変化可能である。
【００６３】
また、実施例２の昇降式容器ホルダにおいては、第１脚部５１と第２脚部５２との軸支部５７は、ケース部１１の側壁１３に向けて延びる凸状をなす。そして、ケース部１１の側壁１３には、上下方向に延びる脚ガイド孔１６が設けられている。凸状の軸支部５７は脚ガイド孔１６に挿通され、脚ガイド孔１６に沿って上下にスライド可能である。したがって、この軸支部５７および脚ガイド孔１６によって、第１脚部５１および第２脚部５２からなるパンタグラフ機構５３の左右方向の位置が規制される。脚ガイド孔１６は、トレイ部３の中心線Ｌ１に沿って設けられている。このため、第１脚部５１および第２脚部５２は、トレイ部３の下方においてトレイ部３の中心線Ｌ１に対し略対称に配置される。このため実施例２の昇降式容器ホルダは、トレイ部３に作用した荷重を第１脚部５１および第２脚部５２によって略均等に分散して支持できる。よって、実施例２の昇降式容器ホルダもまた容器を安定して支持できる。また、軸支部５７および脚ガイド孔１６によってパンタグラフ機構５３の左右方向の位置を規制したことで、第１上側軸部６０、第１下側軸部６１、第２上側軸部６２および第２下側軸部６３の全てが左右方向に位置変化可能であるにも拘わらず、パンタグラフ機構５３の左右方向のガタつきを抑制できる。このため実施例２の昇降式容器ホルダにおいても、パンタグラフ機構５３は安定して動作する。
【００６４】
実施例３の昇降式容器ホルダは、ロック部７３およびロック受け部４１の形状以外は、実施例２の昇降式容器ホルダと概略同じものである。したがって、実施例３では、実施例１および実施例２の昇降式容器ホルダと実施例３の昇降式容器ホルダとの相違点を説明する。実施例３の昇降式容器ホルダの動作を説明する説明図を図１０および図１１に示す。なお、図１０において昇降式容器ホルダは昇状態にあり、図１１において昇降式容器ホルダは昇状態と降状態との間の状態にある。
【００６５】
実施例３の昇降式容器ホルダにおけるロック受け部４１は、ベース部５５に突設された立面状の上ロック受け面４０および下ロック受け面４５と、下ロック受け面４５の左側（つまり上ロック受け面４０側）に連続するガイド面４２とで構成されている。図１０および図１１に示すように、上ロック受け面４０および下ロック受け面４５は、左右に配列し各々上下方向に延びる。上ロック受け面４０の下端部には右方に延びる平坦面が連続し、当該平坦面の右端部にはガイド面４２が連続している。ガイド面４２は左下側から右上側に傾斜する傾斜面状をなし、ガイド面４２の上端部（右端部）は下ロック受け面４５の上端部に連続している。
【００６６】
ロック部７３のロック面７４ａは、上下に延びる立面状をなす。ロック面７４ａの下端部は平坦面状をなし右方に延びるガイド受け面７４ｂが連続している。なお、実施例３の昇降式容器ホルダにおいて、ガイド受け面７４ｂの傾斜角度とガイド面４２の傾斜角度とは一致していない。
【００６７】
図１０に示す昇状態において、パンタグラフ機構５３の高さは最大となる。このとき、ベース部５５は上ロック受け位置に配置されている。そしてこのとき、図略の第２ロック付勢部９３の付勢力および図略の付勢部９４の付勢力によって、ロック部７３のロック面７４ａと、ベース部５５の上ロック受け面４０とは、互いに係合する方向に付勢されている。つまりこのときロック面７４ａと上ロック受け面４０とは係合し、昇降部５０は図１０に示す昇状態にロックされ、昇降部５０に支持される図略のトレイ部３もまた最上位置にロックされる。
【００６８】
そして、昇降式容器ホルダが図１０に示す昇状態にあるときに、トレイ部３に下方向の荷重が作用すると、第２ロック付勢部９３および付勢部９４の付勢力に抗して、ベース部５５が左方向にスライドし、ロック面７４ａと上ロック受け面４０との係合が解除される。そして、ガイド面７２とガイド受け面７４ｂとが互いに相対的に摺動することで、ロック部７３は上方に向けてガイドされる。つまりこのときロック部７３は、図１０に示すロック位置から図１１に示すロック解除位置に位置変化する。ベース部５５がさらに左方にスライドすると、ロック面７４ａと下ロック受け面４５とが対面して係合する。したがって、このとき昇降部５０は降状態にロックされ、トレイ部３もまた最下位置にロックされる。
【００６９】
実施例３の昇降式容器ホルダにおいても、実施例１および実施例２の昇降式容器ホルダと同様に、昇降部式容器ホルダを昇状態から降状態に容易に状態変化させることができ、かつ、昇降式容器ホルダを降状態にロックできる。したがって、実施例２の昇降式容器ホルダもまた種々の容器を安定して支持でき、かつ、収容した容器を取り出し易い。
【００７０】
（実施例４）
実施例４の昇降式容器ホルダは、ロック部７３およびロック受け部４１の形状以外は、実施例２の昇降式容器ホルダと概略同じものである。したがって、実施例４でもまた、実施例１および実施例２の昇降式容器ホルダと実施例４の昇降式容器ホルダとの相違点を説明する。実施例４の昇降式容器ホルダの動作を説明する説明図を図１２〜図１４に示す。なお、図１２において昇降式容器ホルダは昇状態にあり、図１４において昇降式容器ホルダは降状態にある。図１３において昇降式容器ホルダは昇状態と降状態との間の状態にある。
【００７１】
実施例４の昇降式容器ホルダにおけるロック受け部４１は、ベース部５５に突設された立面状の上ロック受け面４０および下ロック受け面４５と、上ロック受け面４０の左方に連続する第１ガイド面４２ａと、上ロック受け面４０の右方かつ下ロック受け面４５の左方に位置する第２ガイド面４２ｂと、で構成されている。より詳しくは、第２ガイド面４２ｂは上ロック受け面４０の下端部と下ロック受け面４５の上端面とに連続する傾斜面であり、第１ガイド面４２ａは上ロック受け面４０の上端部に連続する傾斜面である。第１ガイド面４２ａの傾斜角度と第２ガイド面４２ｂの傾斜角度とは略一致している。
【００７２】
ロック部７３のロック面７４ａは、上下に延びる立面状をなす。ロック面７４ａの上端部には、右上側から左下側に向けて傾斜する傾斜面状の第１ガイド受け面７４ｃが連続している。さらに、ロック面７４ａの下端部には平坦面状をなし右方に延びる第２ガイド受け面７４ｄが連続している。第１ガイド受け面７４ｃの傾斜角度、第１ガイド面４２ａの傾斜角度および第２ガイド面４２ｂの傾斜角度は一致している。また、第２ガイド受け面７４ｄの傾斜角度は、第１ガイド面４２ａの傾斜角度および第２ガイド面４２ｂの傾斜角度と一致していない。
【００７３】
図１２に示す昇状態において、パンタグラフ機構５３の高さは最大となり、ベース部５５は上ロック受け位置に配置され、ロック面７４ａは上ロック受け面４０に係合する。したがって、このとき昇降部５０は昇状態にロックされ図略のトレイ部３もまた最上位置にロックされる。なお、このとき第１ガイド受け面７４ｃと第１ガイド面４２ａとが対面し、第２ガイド受け面７４ｄと第２ガイド面４２ｂとが対面する。
【００７４】
そして、昇降式容器ホルダが図１２に示す昇状態にあるときに、トレイ部３に下方向の荷重を作用させると、図略の第２ロック付勢部９３および付勢部９４の付勢力に抗してベース部５５が左方向にスライドし、ロック面７４ａと上ロック受け面４０との係合が解除される。そして、図１３に示すように、第１ガイド受け面７４ｃと第１ガイド面４２ａとが互いに相対的に摺動するとともに、第２ガイド受け面７４ｄと第２ガイド面４２ｂとが互いに相対的に摺動することで、ロック部７３は上方に向けてガイドされる。そして図１３に示すように、ロック部７３は図１２に示すロック位置から図略のロック解除位置に向けて位置変化する。ベース部５５がさらに左方にスライドすると、ロック面７４ａと下ロック受け面４５とが対面して係合し、昇降部５０が降状態にロックされトレイ部３もまた最下位置にロックされる。
【００７５】
実施例４の昇降式容器ホルダにおいても、実施例１〜実施例３の昇降式容器ホルダと同様に、昇降部式容器ホルダを昇状態から降状態に容易に状態変化させることができ、かつ、昇降式容器ホルダを降状態にロックできる。したがって、実施例３の昇降式容器ホルダもまた種々の容器を安定して支持でき、かつ、収容した容器を取り出し易い。
【００７６】
（その他）
本発明は、上記し且つ図面に示した実施形態にのみ限定されるものではなく、要旨を逸脱しない範囲内で適宜変更して実施できる。また、実施形態に示した各構成要素は、それぞれ任意に抽出し組み合わせて実施できる。
【産業上の利用可能性】
【００７７】
本発明の容器ホルダの用途は特に限定されず、様々な装置や備品等に配設できる。例えば、車両用内装部材として車両のコンソールボックス、インストルメントパネル等に配設しても良いし、或いは、備品用部材として劇場用の椅子や各種の家具、調度品に配設しても良い。
【符号の説明】
【００７８】
３：トレイ部              ５：パンタグラフ型昇降要素      ７：ロック要素
１１：ケース部            １２：収容空間                  ２２：第２下側軸受部
４１：ロック受け部        ４０：上ロック受け面            ４５：下ロック受け面
４２、４２ａ：ガイド面    ５０：昇降部                    ５１、５２：脚部
５１：第１脚部            ５２：第２脚部                  ５３：パンタグラフ機構
５５：ベース部            ６０：第１上側軸部              ６１：第１下側軸部
６２：第２上側軸部        ６３：第２下側軸部              ７０：入力部
７ａ：ロック可動部        ７３：ロック部                  ７４ａ：ロック面
θ：交叉角                 
９３：ロック付勢部（第２ロック付勢部）                    ９４：付勢部
【図１】
2015223979.tif 000003
【図２】
2015223979.tif 000004
【図３】
2015223979.tif 000005
【図４】
2015223979.tif 000006
【図５】
2015223979.tif 000007
【図６】
2015223979.tif 000008
【図７】
2015223979.tif 000009
【図８】
2015223979.tif 000010
【図９】
2015223979.tif 000011
【図１０】
2015223979.tif 000012
【図１１】
2015223979.tif 000013
【図１２】
2015223979.tif 000014
【図１３】
2015223979.tif 000015
【図１４】
2015223979.tif 000016
【図１５】
2015223979.tif 000017
【図１６】
2015223979.tif 000018